(57)【要約】【課題】  容器内に収納した物品が湿気を帯びず、その物品の商品価値を低下させてしまうことなく、また湿気の帯びやすい物品がフィルム状やシート状である場合に、その物品が互いに引っ付くことなく、一枚ずつ取り出せるようにした包装用容器を提供する。【解決手段】  下面を開口した偏平な上部体１と、上面を開口した偏平な下部体２からなり、上部体の天板１ａの周囲に外周壁１ｂを設け、この外周壁の内側に内周壁１ｃを設けて、外周壁と内周壁の間に嵌合溝３を設けたものとし、さらに下部体の底板２ａの周囲に周壁２ｂを設けたものとし、天板に開閉蓋４をヒンジ部５を介して開閉自在に取り付けると共に、天板に凹部６を形成し、この凹部内に取出口７を設けたものとし、開閉蓋４の閉鎖時に、開閉蓋の周壁４ａを上部体の天板の取出口に密着嵌合するようにすると共に、下部体の周壁を上部体の嵌合溝に密着嵌合している。【選択図】    図２
2006123991.tif 000002
【特許請求の範囲】
【請求項１】
下面を開口した偏平な上部体（１）と、上面を開口した偏平な下部体（２）からなり、上部体（１）の天板（１ａ）の周囲に外周壁（１ｂ）を設け、この外周壁（１ｂ）の内側に内周壁（１ｃ）を設けて、外周壁（１ｂ）と内周壁（１ｃ）の間に嵌合溝（３）を設けたものとし、さらに下部体（２）の底板（２ａ）の周囲に周壁（２ｂ）を設けたものとし、天板（１ａ）に開閉蓋（４）をヒンジ部（５）を介して開閉自在に取り付けると共に、天板（１ａ）に凹部（６）を形成し、この凹部（６）内に取出口（７）を設けたものとし、開閉蓋（４）の閉鎖時に、開閉蓋（４）の周壁（４ａ）を上部体（１）の天板（１ａ）の取出口（７）に密着嵌合するようにすると共に、下部体（２）の周壁（２ｂ）を上部体（１）の嵌合溝（３）に密着嵌合するようにしたことを特徴とする包装用容器。
【請求項２】
前記開閉蓋４が、上部体１の天板１ａの凹部６に蓋全体が嵌合して、天板１ａと同一面となるようにしたことを特徴とする請求項１記載の包装用容器。
【請求項３】
前記開閉蓋（４）の周壁（４ａ）と上部体（１）の天板（１ａ）の取出口（７）の間にシールリング（Ｒ）を介在させたことを特徴とする請求項１記載の包装用容器。
【請求項４】
前記ヒンジ部（５）を上部体（１）と開閉蓋（４）とを遊びをもたせて凹凸嵌合する構造にしたことを特徴とする請求項１〜３の何れかに記載の包装用容器。
【請求項５】
前記下部体（２）の周壁（２ｂ）を上部体（１）の嵌合溝（３）にシールリング（Ｒ）を介在させて密着嵌合したことを特徴とする請求項１〜４の何れかに記載の包装用容器。
【発明の詳細な説明】
【技術分野】
【０００１】
この発明は、顆粒、錠剤、カプセル剤などの剤型とした各種の医薬品、フィルム状やシート状とした各種の食品などの各種の物品を収納しておくのに適した包装用容器に関するものである。
【背景技術】
【０００２】
従来、この種の包装用容器としては、例えば図９〜１１に示したように、下面を開口した上部体２１と、上面を開口した下部体２２からなり、上部体２１の天板２１ａに、ヒンジ部２３を介在させて開閉蓋２４を取り付けた取出口２５を設け、上部体２１の周壁２１ｂの内面に設けたリブ２６を、下部体２２の周壁２２ａの外面に設けたリブ２７に係合させて、上部体２１を下部体２２に取り付けたものとしている。前記開閉蓋２４は、上部体２１の略中央部から一側部にかけて開閉するようにしており、天板２１ａに形成した窪部ｄに操作体２４ａを突き出して設けたものとしている。そして、前記上部体２１の開閉蓋２４の閉鎖時には、開閉蓋２４の周壁２４ｂが取出口２５に嵌合するようにしている。さらに、下部体２２には、上部体２１の取出口２５の下方位置における底板２２ｂを迫り上げて傾斜面２８を形成したものとしている（特許文献１）。
【０００３】
このように構成された従来の包装用容器は、フィルム状やシート状とした各種の食品などの物品を容器内に収納した場合には、天面２１ａの窪部ｄに指を差し込み、指先に操作体２４ａを掛けて引き上げ、開閉蓋２４を開けた状態にして、指操作により容器内の物品の一端部を底板２２ｂの傾斜面２８に摺動させて、その物品を一枚ずつ取り出すようにして使用される。
【０００４】
また、従来の包装用容器は、容器内に収納した物品を保存しておく場合には、指先で操作体２４ａを押圧して、開閉蓋２４を閉じた状態にしておく。
【特許文献１】意匠登録第１１８０６４５号公報（第３、４頁、斜視図、断面図、分解斜視図）
【発明の開示】
【発明が解決しようとする課題】
【０００５】
しかしながら、上記従来の包装用容器においては、容器内に収納した物品を短期間のうちに取り出して消費してしまう場合には、その物品が湿気を帯びるようなことは少ない。しかし、この従来の包装用容器では、開閉蓋２４の周壁２４ｂを取出口２５に嵌合するようにしているだけであり、また上部体２１の周壁２１ｂのリブ２６を、下部体２２の周壁２２ａのリブ２７に係合させて、上部体２１を下部体２２に取り付けたものにしているだけであるので、前記物品を容器内に収納し、開閉蓋２４を閉じて長期間保存しておくと、上部体２１の周壁２１ｂと下部体２２の周壁２２ａの間に生じた僅かな隙間や、開閉蓋２４と取出口２５の間に生じた僅かな隙間から湿気が入り、容器内に収納した物品が湿気を帯び、商品価値を低下させてしまったり、フィルム状やシート状とした各種の食品などの物品を容器内に収納した場合には、互いに引っ付いてしまい、一枚ずつ取り出すことができなくなってしまうという問題点を有していた。
【０００６】
さらに、上記従来の包装用容器においては、その容器を携帯しているときに何かに接触するなどして、開閉蓋２４の周壁２４ｂと上部体２１の取出口２５の嵌合が緩んで隙間が生じ、その隙間から湿気が入り、容器内に収納した物品が湿気を帯び、さらに商品価値を低下させてしまうことがあるという問題点を有していた。
【０００７】
そこで、この発明は、上記従来の問題点を解消するものであり、湿気の帯びやすい物品を容器内に収納して、長期間保存しておいたり、その容器を携帯しているときなどにも、容器内に収納した物品が湿気を帯びず、その物品の商品価値を低下させてしまうことなく、また湿気の帯びやすい物品がフィルム状やシート状である場合に、その物品を複数枚重ねた状態にして容器内に収納して長期間保存しておいても、その物品が互いに引っ付くことなく、一枚ずつ取り出すことができるようにした包装用容器を提供することを目的としてなされたものである。
【課題を解決するための手段】
【０００８】
そのため、この発明の包装用容器は、下面を開口した偏平な上部体１と、上面を開口した偏平な下部体２からなり、上部体１の天板１ａの周囲に外周壁１ｂを設け、この外周壁１ｂの内側に内周壁１ｃを設けて、外周壁１ｂと内周壁１ｃの間に嵌合溝３を設けたものとし、さらに下部体２の底板２ａの周囲に周壁２ｂを設けたものとし、天板１ａに開閉蓋４をヒンジ部５を介して開閉自在に取り付けると共に、天板１ａに凹部６を形成し、この凹部６内に取出口７を設けたものとし、開閉蓋４の閉鎖時に、開閉蓋４の周壁４ａを上部体１の天板１ａの取出口７に密着嵌合するようにすると共に、下部体２の周壁２ｂを上部体１の嵌合溝３に密着嵌合するようにしている。
【０００９】
そして、この発明の包装用容器は、前記開閉蓋４が、上部体１の天板１ａの凹部６に蓋全体が嵌合して、天板１ａと同一面となるようにしている。
【００１０】
さらに、この発明の包装用容器は、前記開閉蓋４の周壁４ａと上部体１の天板１ａの取出口７の間にシールリングＲを介在させたものとしている。
【００１１】
また、この発明の包装用容器は、前記ヒンジ部５を上部体１と開閉蓋４とを遊びをもたせて凹凸嵌合する構造にしたものとしている。
【００１２】
さらに、この発明の包装用容器は、前記下部体２の周壁２ｂを上部体１の嵌合溝３にシールリングＲを介在させて密着嵌合したものとしている。
【発明の効果】
【００１３】
この発明の包装用容器は、以上に述べたように構成されているので、湿気の帯びやすい物品を容器内に収納して、長期間保存しておいたり、その容器を携帯しているときなどにも、容器内に収納した物品が湿気を帯びず、その物品の商品価値を低下させてしまうことなく、また湿気の帯びやすい物品がフィルム状やシート状である場合に、その物品を複数枚重ねた状態にして容器内に収納して長期間保存しておいても、その物品が互いに引っ付くことなく、一枚ずつ取り出すことができるものとなる。
【発明を実施するための最良の形態】
【００１４】
以下、この発明の包装用容器の実施の形態を、図面に基づいて詳細に説明する。
【００１５】
図１〜３は、この発明の包装用容器の一実施形態を示しており、図４〜８は、この発明の包装用容器の他の実施形態を示しており、何れも、略長方形状の偏平な上部体１およびこの上部体１より一回り小さくした略長方形状の偏平な下部体２からなり、容器内には湿気の帯びやすい顆粒、錠剤、カプセル剤などの剤型とした各種の医薬品（図示せず）をバラ詰めにしたり、湿気の帯びやすいフィルム状やシート状の食品（図示せず）を複数枚重ねた状態にして、これらの物品を収納するようにしている。
【００１６】
上部体１は、下面を開口したものとし、天板１ａの周囲に外周壁１ｂを設け、この外周壁１ｂの内側に内周壁１ｃを設けて、外周壁１ｂと内周壁１ｃの間に嵌合溝３を設けたものとし、図１〜３に示したものでは天板１ａの略中央部に、図４〜６に示したものでは天板１ａの一側部に、それぞれ開閉蓋４がヒンジ部５を介して開閉自在に取り付けられている。そして、この天板１ａには、開閉蓋４の全体が嵌合する凹部６を形成し、この凹部６内に取出口７を設けたものとしている。
【００１７】
開閉蓋４は、前記上部体１の天板１ａの凹部６に蓋全体が嵌合して、天板１ａと同一面となるようにしており、さらにこの天板１ａの凹部６内の取出口７に密着嵌合するようにした周壁４ａを設けたものとしている。このような構造にした開閉蓋４は、上部体１の天板１ａから浮き上がっていなければ、取出口７との密着嵌合が完全であることを容易に確認することができる。また、前記開閉蓋４が上部体１の天板１ａから浮き上がっていれば、取出口７との密着嵌合が不完全になっていることも容易に確認することができる。なお、前記開閉蓋４の周壁４ａと上部体１の取出口７の間には、シールリングＲを介在させ、より密着度をよくして、開閉蓋４の周壁４ａを上部体１の取出口７に密着嵌合したものとしてもよい。また、前記周壁４ａと取出口７とは、円形とするのが形状が単純で、両者の寸法合わせがし易いものとなる。
【００１８】
さらに、開閉蓋４は、図１〜３に示したものでは、上部体１の一側部から略中央部にかけて開閉するようにしており、図４〜６に示したものでは、上部体１の一側部から他側部にかけて開閉するようにしており、それぞれの開放端には指を掛けて引き上げるための操作体８を設けると共に、この操作体８の下方には上部体１の外周壁１ｂに設けた掛部９に掛合して、開閉蓋４を密着嵌合状態に保持しておくための掛体１０を設けたものとしている。なお、前記開閉蓋４を上部体１の略中央部から一側部にかけて開閉するようにすると、背景技術の欄で説明したように開閉蓋４に窪部を形成する必要があり、この窪部に塵埃が溜まったり、窪部に突き出した操作体に指が引っ掛け難かったりするが、開閉蓋４を上部体１の一側部から略中央部にかけて開閉するようにしたり、上部体１の一側部から他側部にかけて開閉するようにすると、開閉蓋４には窪部を設ける必要がないので、塵埃が溜まることがなく、また操作体に指を掛け難かったりすることもない。したがって、開閉蓋４は、図７に示したように、片手で簡単に開閉操作を行うことができるものとなる。
【００１９】
また、上部体１と開閉蓋４の間に介在させたヒンジ部５は、図１〜３に示したように、上部体１と開閉蓋４とを遊びをもたせて凹凸嵌合する構造にしたり、図４〜６に示したように、上部体１と開閉蓋４との境目に形成した薄肉構造にしている。なお、図１〜３に示したものでは、開閉蓋４の両側端部に突起１１を設け、この突起１１を上部体１の凹部６の両側壁に設けた孔１２に遊びをもたせて凹凸嵌合するようにしているが、上部体１の凹部６の両側壁に突起（図示せず）を設け、この突起を開閉蓋４の両側端部に設けた孔（図示せず）に遊びをもたせて凹凸嵌合するようにしてもよい。前記ヒンジ部５を、上部体１と開閉蓋４とを遊びをもたせて凹凸嵌合する構造にした場合には、開閉蓋４の周壁４ａを上部体１の天板１ａの取付口７に嵌合したとき、設計誤差などで両者のセンター位置がずれていても、前記遊びによって開閉蓋４が移動してそのセンター位置が補正され、両者のセンター位置が合致するものとなり、開閉蓋４の周壁４ａは上部体１の天板１ａの取付口７に密着嵌合するようになる。
【００２０】
さらに、前記上部体１を製造する場合に、開閉蓋４を上部体１の一側部から他側部にかけて開閉するようにすると、図８に示したように開閉蓋４を水平に寝かせた状態で型抜きが行えるので、上下型のみですみ、型数も少なく型抜きが容易に行えることになる。
【００２１】
下部体２は、上面を開口したものとし、底板２ａの周囲に周壁２ｂを設けたものとし、この周壁２ｂを前記上部体１の嵌合溝３にシールリングＲを介在させて、密着嵌合したものとしている。さらに、下部体２には、上部体１の取出口７の下方位置における底板２ａに、外から内寄りに傾斜させた傾斜面１３ａを有する隆起部１３を設けたものとしている。この隆起部１３の傾斜面１３ａは、容器内に収納した物品がフィルム状やシート状である場合に、その物品の一端部を指操作により摺動させて取り出し易くするために設けられたものである。また、取出口７を円形にした場合には、この隆起部１３によって、容器内に収納した物品が取出口７の略中央部から取り出せるようになり、その物品が取出口７の周囲に引っ掛かからないものとなるので、取り出し易くなる。
【００２２】
また、前記隆起部１３は、下部体２の周壁２ｂよりも高くすることができ、このように隆起部１３を高くすれば、傾斜面１３ａもこの隆起部１３に従って高くなり、傾斜角度を大きくすることができるので、容器内に収納した物品の一端部を急角度で持ち上げることができるようになり、その物品がより取り出し易くなる。なお、背景技術の欄で説明したように下部体２２の底板２２ｂを迫り上げて傾斜面２８を形成したものでは、この傾斜面２８を下部体２２の周壁２２ａより高くすることができず、傾斜角度も制限されるので、容器内に収納した物品の一端部を急角度で持ち上げることができず、その物品はそれほど取り出し易くはならない。
【００２３】
上部体１および下部体２は、ポリプロピレン、ポリエチレンなどの合成樹脂成形品からなるものとしているが、低密度ポリエチレンからなるものとするのが、上部体１と下部体２との密着性がよくなり、好ましいものとなる。
【００２４】
この発明の包装用容器に収納する物品としては、例えば、芳香成分や薬効成分等を含有させ、顆粒、錠剤、カプセル剤などの剤型としてバラ詰めにする各種の医薬品や、芳香成分や薬効成分等を含有させたオブラートなどの可食性水溶性高分子物質からなるフィルムやシートを複数枚重ねた状態にする各種の食品などが挙げられる。
【００２５】
以上のように構成したこの発明の包装用容器は、湿気の帯びやすい顆粒、錠剤、カプセル剤などの剤型とした各種の医薬品（図示せず）をバラ詰めにしたり、湿気の帯びやすいフィルム状やシート状の食品（図示せず）を複数枚重ねた状態にして、これらの物品を容器内に収納してから、上部体１に下部体２を密着嵌合したものとする。そして、この発明の包装用容器から、前記物品を取り出すには、開閉蓋４の操作体８に指を掛けて開閉蓋４を開く。そして、バラ詰めした物品の場合は、そのまま容器を傾ければ、その物品を取出口７から容易に取り出すことができる。この容器を傾ける操作を繰り返すことにより、前記物品を次々に容器内から取り出して消費することができる。また、複数枚重ねた状態にした物品の場合は、前記取出口７から指を差し込んで、複数枚重ねた最上部の物品を指で押さえ、隆起部１３の傾斜壁１３ａに物品の一端部を摺動させるように指操作すれば、その物品を取出口７から容易に取り出すことができる。この指操作を繰り返すことにより、前記物品を次々に容器内から取り出して消費することができる。
【００２６】
さらに、この発明の包装用容器は、前記物品を容器内に収納し、開閉蓋４の操作体８を指で押圧して開閉蓋４を閉じ、上部体１の天板１ａの凹部６に蓋全体が嵌合して、天板１ａと同一面になるようにしておけば、その開閉蓋４の周壁４ａと上部体１の取出口７とが密着嵌合し、しかも前記開閉蓋４を閉じれば、この開閉蓋４に設けた掛体１０が上部体１の外周壁１ｂに設けた掛部９に掛合して、その密着嵌合状態が保持され、また下部体２の周壁２ｂを上部体１の嵌合溝３に密着嵌合しているので、上部体１と下部体２の密閉度は完全なものとなり、容器内に湿気が入り難くなり、前記容器内に収納した物品を長期間保存しておく場合にも、その物品が湿気を帯びるようなことはないものとなる。
【図面の簡単な説明】
【００２７】
【図１】この発明の包装用容器の一実施形態を示しており、開閉蓋を閉じた状態の斜視図である。
【図２】図１に示すこの発明の包装用容器の分解斜視図である。
【図３】図１に示すこの発明の包装用容器の長手方向の断面図である。
【図４】この発明の包装用容器の他の実施形態を示しており、開閉蓋を閉じた状態の斜視図である。
【図５】図４に示すこの発明の包装用容器の分解斜視図である。
【図６】図４に示すこの発明の包装用容器の長手方向の断面図である。
【図７】この発明の包装用容器の開閉蓋の開閉操作を行う状態の斜視図である。
【図８】この発明の包装用容器の開閉蓋を水平に寝かせた状態の斜視図である。
【図９】従来の包装用容器の一例を示しており、開閉蓋を閉じた状態の斜視図である。
【図１０】図９に示す従来の包装用容器の開閉蓋を開いた状態の分解斜視図である。
【図１１】図９に示す従来の包装用容器の長手方向における断面図である。
【符号の説明】
【００２８】
１  上部体
１ａ  天板
１ｂ  外周壁
１ｃ  内周壁
２  下部体
２ａ  底板
２ｂ  周壁
３  嵌合溝
４  開閉蓋
４ａ  周壁
５  ヒンジ部
６  凹部
７  取出口
８  操作体
９  掛部
１０  掛体
Ｒ  シールリング
【図１】
2006123991.tif 000003
【図２】
2006123991.tif 000004
【図３】
2006123991.tif 000005
【図４】
2006123991.tif 000006
【図５】
2006123991.tif 000007
【図６】
2006123991.tif 000008
【図７】
2006123991.tif 000009
【図８】
2006123991.tif 000010
【図９】
2006123991.tif 000011
【図１０】
2006123991.tif 000012
【図１１】
2006123991.tif 000013